(57)【要約】【課題】本発明は、机上、膝上、枕上など時々に応じて一番楽な姿勢で読書することを可能にする汎用書見台を提供する。【解決手段】本発明は、従来の書見台を書見板と書見板台の二つに分離する。書見板は、下部が蝶番状になっている２枚のベニヤ板（基板と挟板）で構成され、本の開かれた左右の表紙を両板で挟み、両板の上部を本留め用クリッパーで留めて本を書見板に固定する。挟板の上に抜き出されて開かれたページの左右や上部、下部をページ留め用クリッパーで書見板に留める。本を装着した書見板を書見板台の所定の場所に載せて、その両者の組み合わせによって机上や枕上など自在の読書姿勢を選択する。なお、書見板台にはスライド式の筆記台が置かれ、その上に手を置いたりその上でメモしたりすることを可能にする。【選択図】  図１
2006075448.tif 000002
【特許請求の範囲】
【請求項１】
この書見板は、その下部が蝶番状に工作されて折り畳み式になっている上下２枚のベニヤ板で構成され、本の開いた左右の表紙をこの両ベニヤ板で挟み、両板の上部を留金具で留めて本を書見板に固定し、両ベニヤ板の上面の中央部に設けられた凹部から抜き出された本のページ部は、書見板の上で左右に開けられて留具で書見板に留めることを可能にする。
【請求項２】
この書見板台は、本を装着した上記書見板を載せる部分とスライド式の筆記台を装備している。
【請求項３】
書見板を書見板台に載せて汎用書見台とし、この汎用書見台を使って読者がその時々に応じて一番楽な姿勢で読書できることを可能にする。
【請求項４】
書見板と書見板台の組み合わせによって構成されるこの汎用書見台で選択できる読書形態は、机上、膝上、枕上（仰臥、横臥、伏臥）の諸形態である。
【請求項５】
書見板台の上に載ったスライド式の筆記台は、その上に手を置いたり、読書しながらメモしたりすることを可能にする。
【発明の詳細な説明】
【技術分野】
【０００１】
本発明は、読者が一番楽な姿勢を選んで読書することを可能にするための汎用書見台に関する。
【背景技術】
【０００２】
従来の書見台は机上用か寝床などで使う枕上用かに分かれているか、精々のところ机上用と横臥用が兼ねられる形態のものがある程度である。
【０００３】
従来の机上用書見台は、本や見開きページの固定に安定感を欠き、また、机上で本を読む傾斜角度の選択幅も限られ、取扱いの容易さにも欠けるものが多い。
【０００４】
寝床などに臥して使う従来の枕上用書見台は、アームを使って頭上で書物受台を吊るす装置等が仰々しく、何よりも睡眠を誘はなければならない寝室や枕元のリラックス感を損なってしまう。
【０００５】
また、従来の枕上用書見台は形状も大きく、読書スタンドを組み立てたり本を書物受台に装着するのに手間がかかる。
【０００６】
さらに、枕上読書から机上や膝上読書へ移行するときは、本を書物受台から外すのに手間がかかる上、アームの付いた書物受台や大きな読書スタンド等を整理し収納する場所も必要となる。
【発明の開示】
【発明が解決しようとする課題】
【０００７】
体にとって絶対的に楽な姿勢というものはなく、どんなに楽だと思っても同じ姿勢を長く続けていると必ず疲れがでてくるもので、これは読書の場合についても言える。
【０００８】
解決しようとする課題は、机上、膝上、枕上などその時々に応じ一番楽な姿勢を選んで読書できるようにすること及び一つの本を続けて読書する場合、その読書姿勢間の転換をスムーズに行えるようにすることである。
【課題を解決するための手段】
【０００９】
本発明は、従来の書見台を書見板と書見板台の二つに分離し、書見板は、その下部が蝶番状に工作されて折り畳み式になっている２枚のベニヤ板で構成されている。
【００１０】
本のページ部分を閉じたまま表紙のみを開き、開かれた左右の表紙をこの蝶番状になっている両ベニヤ板で挟み、その両板の上部を金具で留めて本を書見板に固定する。
【００１１】
本が装着された上記書見板を書見板台の上に載せ、その両者を組み合わせることによって、机上や枕上等その時々で一番楽な姿勢で読書できるようにする。
【発明の効果】
【００１２】
机上読書でも同じ姿勢を長く続けていれば疲れが出てくること前記のとおりである。
【００１３】
そのようなときは姿勢を少し前かがみにして机上に肘をついたり、椅子に浅く腰掛けて背もたれに背中を大きくもたれさせたり、背もたれをリクライニングするなどその読書姿勢は千態万様である。
【００１４】
本汎用書見台は、書見板台に載せる書見板を、目に一番負担にならない傾斜角度に調節して机上での読書を可能にする。
【００１５】
机上での読書に疲れたときは、この汎用書見台を持ってソファーやロッキングチェアー等へ移り膝上で読書したり、書見板台から外した書見板を持って足組みした膝上で読書を続けることもできる。
【００１６】
体重の約７０％の重みが腰の負担となる椅子に腰掛けての読書は、腰痛を患っている者や高齢者、病弱者にはもちろん、健常者にとっても長時間に及べば苦痛となる。
【００１７】
そのようなことから、腰痛者や高齢者、病弱者に限らず健常者にとっても、腰に負担がかからないごろ寝しての読書は、読書家にとっては何ものにも代えがたい喜びの一つと言える。
【００１８】
究極の読書は枕上での読書であるとして、机上や膝上での読書から枕上読書への移行は、本件汎用書見台を使えば、後述の実施例５、６で示すように書見板と書見板台の組み合わせによっていとも簡単にできる。
【００１９】
また、いくつかの本を並行して読む読書家には、図７に示すように見開きで読みかけ状態にしたそれらの本をあらかじめ書見板にセットして書斎や寝室などの片隅に立掛けたりしておけば、それらの書見板の一つを単に書見板台の上に載せるだけで、即机上や枕上での読書の世界に入ることができる。
【００２０】
また、この書見板台には、その上で前後にスライドする筆記台（符号１１）を設けたので、その上に手を載せたり、読書しながら気になったこと等をその上でメモすることもできる。
【発明を実施するための最良の形態】
【００２１】
図３（正面図）、図４（平面図）、図５（右側面図）及び図６（背面図）に基づき図２（斜視図）に示した書見板を作る。
【００２２】
この書見板は、月刊誌から単行本、新書、文庫本までの大きさの本を装着できるようになっている。
【００２３】
具体的には、文庫本など比較的小さな本のページも留められるよう、図３（正面図）に示すとおり、書見板の上下左右に後述するクリッパーが入る凹部が設けられている。
【００２４】
この書見板は、図２に示すようにその下部が蝶番状に工作されて折り畳み式になっている２枚のベニヤ板からできており、本の左右の表紙を載せる板（以下「基板」という。符号２）とその表紙を上から挟む板（以下「挟板」という。符号３）から構成されている。
【００２５】
図２に示すように、本のページ部分（符号２３）を閉じたまま表紙のみを開き、開いた左右の表紙を基板（符号２）の所定の位置に載せ、その表紙（符号２２）を挟板（符号３）で上から挟み、本のページ部分を挟板の中央部に設けられた凹部から抜き出す。
【００２６】
左右の表紙を挟んだ基板と挟板の上部を留金具（符号５。以下「本留め用クリッパー」という。市販の金属製事務用クリッパーを利用できる。）で留めて本を書見板に固定する。
【００２７】
もちろん、机上や膝上で読書するときは、表紙を書見板に挟まずに、単に本を符号７の支え板の上に載せて読書することも可能である。
【００２８】
挟板（符号３）の上で開かれた本のページの左右や上部、下部を留具（符号６。以下「ページ留め用クリッパー」という。市販の多少大きめなプラスチック製洗濯バサミを利用できる。）で書見板に留め、見開きページが閉じられないようにする。
【００２９】
図９（正面図）、図１０（平面図）、図１１（右側面図）及び図１２（背面図）に基づき図８（斜視図）に示した書見板台を作る。
【００３０】
書見板台の底板（符号１２）の先には、膝上で読書するときに足組みした脚が入るよう、又、底板の手前には、仰臥して読書するときに顎が入るよう、それぞれ湾曲した空間部（符号１４、１５）が設けられている。
【００３１】
書見板台の脚部（符号１６）は、膝上で読書したり仰臥して読書するときに、書見板台が膝の上や胸の上に安定して置けるようになっている。
【００３２】
書見板は、各所で図示されるように、机上読書や枕上読書などの読書姿勢に応じて書見板台の所定の場所に載せられて汎用書見台になる。
【実施例１】
【００３３】
図７は、本を装着した書見板の右側面図であり、本の表紙（符号２２）が基板（符号２）と挟板（符号３）との間に挟まれ本のページ（符号２３）が挟板の上に載せられてページ留め用クリッパー（符号６）で書見板に留められている。
【実施例２】
【００３４】
図１は、机上や膝上で読書する際、本を装着した書見板を書見板台に載せたときの汎用書見台の斜視図である。
【実施例３】
【００３５】
図１３は、書見板を書見板台に載せた汎用書見台を膝の上に置いて読書するときの右側面図である。
【実施例４】
【００３６】
図１４は、上体を大きく後ろに背もたれ（リクライニング）して読書する際、目と書見板（本）との間の距離を縮めるため、支持板（符号１８）を前へ倒し、書見板の裏のフック棒（符号９）を支持板の上部へ引っ掛けて書見板を支え、書見板を手前へ進めて読書するときの右側面図である。
【００３７】
腰掛ける姿勢に応じて、書見板の前滑りを止める山（符号１３）の位置を選択して書見板の傾斜角度を変えたり、膝上での汎用書見台の位置や傾斜角度を変えたり、支持板（符号１８）を手前に倒して書見板を前に進めたりすることができるので、一番楽な姿勢や視角度で読書をすることができる。
【実施例５】
【００３８】
図１５は、枕上で、書見板の下部を書見板台の挿入部（符号１７）に装着した汎用書見台を胸上に載せて仰臥して読書するときの汎用書見台の右側面図であり、図１６はその正面図である。
【実施例６】
【００３９】
図１７は、枕上で、右向きに横臥して読書するときの汎用書見台の右側面図で、図１８はその正面図である。
【００４０】
具体的には、この汎用書見台を床の右側に置き、書見板を右へ横倒しして書見板台の底板（符号１２）の上に載せ、書見板を留めるクリッパー（符号２４。以下「書見板留め用クリッパー」という。ページ留め用クリッパーと同型。）で支持板に固定して読書する。
【００４１】
左向きに横臥して読書するときは、汎用書見台を床の左側に置き、書見板を左へ横倒しして書見板台の底板の上に載せ、書見板留め用クリッパーで支持板に固定して読書する。（前記実施例６の図１７、１８とは左右が対称となる）。
【００４２】
もちろん、横臥のときは書見板台を使わず書見板を手で支えて読書することも好み次第であり、枕元で伏臥して読むときは書見板を床の上に置いて読書する。
【図面の簡単な説明】
【００４３】
【図１】書見板を書見板台に載せた状態の汎用書見台の斜視図（机上や膝上で読書するときの図）
【図２】書見板の斜視図（本を装着する過程の図）
【図３】書見板の正面図
【図４】書見板の平面図
【図５】書見板の右側面図
【図６】書見板の背面図
【図７】本を装着した書見板の右側面図
【図８】書見板台の斜視図
【図９】書見板台の正面図
【図１０】書見板台の平面図
【図１１】書見板台の右側面図
【図１２】書見板台の背面図
【図１３】膝上で読書するときの汎用書見台の右側面図
【図１４】姿勢をリクライニングして膝上で読書するときの汎用書見台の右側面図
【図１５】仰臥して読書するときの汎用書見台の右側面図
【図１６】仰臥して読書するときの汎用書見台の正面図
【図１７】右向きに横臥して読書するときの汎用書見台の右側面図（書見板台を右側面から、書見板を上面から見た図）
【図１８】右向きに横臥して読書するときの汎用書見台の正面図
【符号の説明】
【００４４】
１  書見板  
２  基板
３  挟板
４  基板と挟板とをその下部で蝶番状に留める粘着テープ（基板と挟板とはその下部の接合部を基点にし、その上部で自在に開閉する。）
５  本留め用クリッパー
６  ページ留め用クリッパー
７  仰臥して読書するときに書見板を支持板で下支えするための板（これは、机上や膝上で読書するときは、本の表紙を書見板に挟まずに、単に本をこの板の上に載せて読書することも可能にする機能も兼ねている。）
８  仰臥して読書するときに書見板の下部を書見板台で下支えするための板
９  手前に倒した支持板の上部に書見板を引っ掛けるためのフック棒
１０  書見板台
１１  スライド式の筆記台
１２  書見板台の底板
１３  机上や膝上で読書するときに書見板の傾斜角度を調節するために書見板の前滑りを止める山
１４  膝上で足組みして読書するときに組み上げた脚が入る底板の空間
１５  仰臥して読書するときに顎が入る底板の空間
１６  書見板台の脚部
１７  仰臥して読書するときに書見板の下部（符号４の粘着テープが貼られた脚部）が挿入される溝
１８  仰臥して読書するときに書見板を下から支える支持板。（これは、横臥して読書するときには、横倒しされた書見板を書見板台に固定したり、膝上で読書する際、書見板を手前へ移動するときに書見板を支える機能も兼ねる。）
１９  支持板を下止めする板
２０  支持板を書見板台の本体に留める丸棒（以下「留め丸棒」という。）
２１  回転する支持板と留め丸棒を繋ぐジョイント部
２２  本の表紙部分
２３  本のページ部分
２４  横臥して読書するときに書見板を支持板に固定する書見板留め用クリッパー  
【図１】
2006075448.tif 000003
【図２】
2006075448.tif 000004
【図３】
2006075448.tif 000005
【図４】
2006075448.tif 000006
【図５】
2006075448.tif 000007
【図６】
2006075448.tif 000008
【図７】
2006075448.tif 000009
【図８】
2006075448.tif 000010
【図９】
2006075448.tif 000011
【図１０】
2006075448.tif 000012
【図１１】
2006075448.tif 000013
【図１２】
2006075448.tif 000014
【図１３】
2006075448.tif 000015
【図１４】
2006075448.tif 000016
【図１５】
2006075448.tif 000017
【図１６】
2006075448.tif 000018
【図１７】
2006075448.tif 000019
【図１８】
2006075448.tif 000020